(57)【要約】      （修正有）【課題】多層ディスクから単層ディスクへの情報データの違法コピーを防止することが出来る情報データの記録方法を提供する。【解決手段】一連の情報データを所定データ容量毎のデータブロックに分割し、これら各データブロックを記録媒体の互いに異なる記録層に分散して記録すると共に、これらデータブロックの内の少なくとも１つに、次の読み取り先を指定するジャンプ指令を記録する。【選択図】図５
2007242226.tif 000002
【特許請求の範囲】
【請求項１】
一連の情報データを複数の記録層を有する記録媒体に記録する記録方法であって、前記情報データを所定データ容量毎のデータブロックに分割して各データブロックを前記記録媒体の互いに異なる記録層に分散して記録すると共に、前記データブロック各々の内の少なくとも１つに次の読み取り先を指定するジャンプ指令を記録することを特徴とする情報データの記録方法。
【請求項２】
前記記録媒体の記録層は第１記録層及び第２記録層からなり、前記データブロックの内の奇数番目のデータブロック群を前記第１記録層に記録すると共に前記データブロックの内の偶数番目のデータブロック群を前記第２記録層に記録することを特徴とする請求項１記載の情報データの記録方法。
【請求項３】
前記ジャンプ指令の各々は現在読み取りを行っている記録層とは異なる他の記録層へのジャンプ指令であることを特徴とする請求項１及び２記載の情報データの記録方法。
【請求項４】
一連の情報データを第１記録層及び第２記録層からなる２層の記録層を有する記録媒体に記録する記録装置であって、前記情報データを所定データ容量毎のデータブロックに分割し、前記データブロック各々の内の奇数番目のデータブロックからなるデータブロック群を第１層記録用情報データとして得ると共に前記データブロック各々の内の偶数番目のデータブロックからなるデータブロック群を第２層記録用情報データとして得るデータ分離回路と、前記第１層記録用情報データを前記第１記録層に記録すると共に前記第２層記録用情報データを前記第２記録層に記録する記録手段と、からなることを特徴とする記録装置。
【請求項５】
前記データ分離回路は、前記データブロック各々の内の少なくとも１つに、次の読み取り先を指定するジャンプ指令を付加することを特徴とする請求項４記載の記録装置。
【請求項６】
第１記録層及び第２記録層からなる２層の記録層を有する記録媒体であって、一連の情報データを担う複数のデータブロックが前記第１記録層及び前記第２記録層に夫々分散して記録されており、前記データブロック各々の内の少なくとも１つには次の読み取り先を指定するジャンプ指令が記録されていることを特徴とする記録媒体。
【発明の詳細な説明】
【技術分野】
【０００１】
本発明は、情報データを記録媒体に記録する方法に関する。
【背景技術】
【０００２】
光学式記録媒体であるＤＶＤ（digital versatile disk）として、１枚のディスクに記録面を２層有するＤＶＤ−ＲＯＭ（read only memory）が知られている。かかるＤＶＤ−ＲＯＭには、最大８．５Gbyte分の容量を有する映画ソフトあるいはコンピュータデータ等が記録されており、これが一般ユーザに提供される。
【発明の開示】
【発明が解決しようとする課題】
【０００３】
そこで、本発明の目的は、多層ディスクに記録された情報データの違法コピーを防止することが出来る情報データの記録方法を提供することである。
【課題を解決するための手段】
【０００４】
本発明による情報データの記録方法は、一連の情報データを複数の記録層を有する記録媒体に記録する記録方法であって、前記情報データを所定データ容量毎のデータブロックに分割して各データブロックを前記記録媒体の互いに異なる記録層に分散して記録すると共に、前記データブロック各々の内の少なくとも１つに次の読み取り先を指定するジャンプ指令を記録することを特徴とする。
【発明を実施するための最良の形態】
【０００５】
図１は、本発明による記録方法に基づいて、映像ソフト等の情報データを担うピット列を２層の記録面を有するＤＶＤ−ＲＯＭに転写する為の２枚のガラス原盤（以下、第１の記録原盤２０及び第２の記録原盤２１と称する）に記録するマスタ記録装置の構成を示す図である。
【０００６】
図１において、データ分割回路１０は、先ず、ＤＶＤ−ＲＯＭの第１の記録層に対応する第１の記録原盤２０に記録すべく供給されてきた情報データを所定容量分のデータブロック毎に分割し、これらデータブロック各々の後尾に、図示せぬ再生装置（ＤＶＤプレーヤ）の再生ヘッドをジャンプさせるべきジャンプ指令を付加する。尚、かかるジャンプ指令では、上記再生ヘッドのジャンプ先を示すアドレスも設定されている。更に、データ分割回路１０は、上記の如くジャンプ指令が付加されたデータブロック系列を奇数番目のデータブロック群及び偶数番目のデータブロック群の２つのグループに分割する。データ分割回路１０は、かかる奇数番目のデータブロック群を第１記録層用情報データ、並びに偶数番目のデータブロック群を第２記録層用情報データとして夫々第１層記録用データメモリ１１及び第２層記録用データメモリ１２に書き込む。
【０００７】
図２は、上述した如きデータ分離動作を実施する為の動作フローの一例を示す図である。尚、かかる動作フローは、データ分割回路１０の制御を司るＣＰＵ（図示せぬ）によって実施されるものである。図２において、先ず、上記ＣＰＵは、ＤＶＤ−ＲＯＭの第１記録層における記録開始アドレスＡＤ１０及び第２記録層における記録開始アドレスＡＤ２０各々をＣＰＵに内蔵されているレジスタＬ１及びＬ２（図示せぬ）に夫々記憶する（ステップＳ３１）。次に、ＣＰＵは、記録原盤２０に記録すべく供給されてきた情報データを、所定容量分のデータブロック毎に読み込んでこれをレジスタＹ（図示せぬ）に記憶する（ステップＳ３２）。次に、ＣＰＵは、この取り込んだデータブロック中に情報データの最終位置を示すＥＯＦが存在するか否かを判定する（ステップＳ３３）。かかるステップＳ３３において、ＥＯＦが存在しないと判定された場合、ＣＰＵは、このレジスタＹに取り込んだデータブロックが奇数番目のブロックであるか否かの判定を行う（ステップＳ３４）。
【０００８】
かかるステップＳ３４において、奇数番目のブロックであると判定された場合、ＣＰＵは、奇数番目のブロックであることを示すフラグ"１"をフラグレジスタＦ（図示せぬ）に記憶する（ステップＳ３５）。次に、ＣＰＵは、上記レジスタＬ１に記憶されているアドレス位置（第１記録層上におけるアドレス位置）へのジャンプ指令ＪＡを生成する（ステップＳ３６）。次に、ＣＰＵは、上記レジスタＹに取り込んだデータブロックを読み出し、このデータブロックの後尾に上記ジャンプ指令ＪＡを付加したものを第１層記録用データメモリ１１に記憶せしめる（ステップＳ３７）。次に、ＣＰＵは、上記レジスタＬ１に記憶されているアドレスに、このジャンプ指令ＪＡを含んだ１データブロックのブロックデータ容量Ｂを加算して得られた新たなアドレスを上記レジスタＬ１に上書き記憶する（ステップＳ３８）。かかるステップＳ３８の終了後、ＣＰＵは、上記ステップＳ３２の実行に戻る。
【０００９】
一方、上記ステップＳ３４において、レジスタＹに取り込んだデータブロックが奇数番目のブロックではないと判定された場合、ＣＰＵは、偶数番目のブロックであることを示すフラグ"０"を上記フラグレジスタＦに記憶する（ステップＳ３９）。次に、ＣＰＵは、上記レジスタＬ２に記憶されているアドレス位置（第２記録層上におけるアドレス位置）へのジャンプ指令ＪＡを生成する（ステップＳ４０）。次に、ＣＰＵは、上記レジスタＹに取り込んだデータブロックを読み出し、このデータブロックの後尾に上記ジャンプ指令ＪＡを付加したものを第２層記録用データメモリ１２に記憶せしめる（ステップＳ４１）。次に、ＣＰＵは、上記レジスタＬ２に記憶されているアドレスに、このジャンプ指令ＪＡを含んだ１データブロックのブロックデータ容量Ｂを加算して得られた新たなアドレスを上記レジスタＬ２に上書き記憶する（ステップＳ４２）。かかるステップＳ４２の終了後、ＣＰＵは、上記ステップＳ３２の実行に戻る。
【００１０】
又、上記ステップＳ３３において、レジスタＹに記憶したデータブロック中に情報データの最終位置を示すＥＯＦが存在すると判定された場合、ＣＰＵは、次に、上記フラグレジスタＦの記憶内容がフラグ"1"であるか否かの判定を行う（ステップＳ４３）。かかるステップＳ４３において、フラグレジスタＦの記憶内容がフラグ"1"であると判定された場合、ＣＰＵは、情報データの最終位置を示すＥＯＦを上記第１層記録用データメモリ１１に記憶せしめる（ステップＳ４４）。一方、このステップＳ４３において、フラグレジスタＦの記憶内容がフラグ"１"ではないと判定された場合、ＣＰＵは、情報データの最終位置を示すＥＯＦを上記第２層記録用データメモリ１２に記憶せしめる（ステップＳ４５）。これらステップＳ４４又はＳ４５のいずれかが終了すると、ＣＰＵは、このデータ分離フローを抜けてメインルーチン（説明せず）の実行に戻る。
【００１１】
図３は、かかる動作フローによって為された情報データの分離結果の一例を示す図である。すなわち、図３（ａ）に示されるが如き情報データ系列がデータ分割回路１０に供給されると、データ分割回路１０は、かかる情報データを所定データ容量毎のデータブロックＤ1〜Ｄ6に夫々分割し、これらを１データブロック単位にて順次取り込む。次に、データ分割回路１０は、かかるデータブロックＤ1〜Ｄ6を、奇数番目のデータブロックＤ1、Ｄ3、Ｄ5と、偶数番目のデータブロックＤ2、Ｄ4、Ｄ6とに分割する。ここで、データ分割回路１０は、図３（ｂ）に示されるが如く、奇数番目のデータブロックＤ1、Ｄ3、Ｄ5各々の後尾にジャンプ指令ＪＡ1、ＪＡ3、ＪＡ5（後述する）を付加し、これらを互いに連結して第１記録層用情報データを生成する。この際、ジャンプ指令を含むデータブロック各々の容量は上述した如きブロックデータ容量Ｂとなる。一方、データ分割回路１０は、上記偶数番目のデータブロックＤ2、Ｄ4、Ｄ6各々の後尾に図３（ｃ）に示されるが如くジャンプ指令ＪＡ2、ＪＡ4、ＪＡ6（後述する）を付加し、これらを互いに連結して第２記録層用情報データを得る。この際、ジャンプ指令を含むデータブロック各々の容量は上記ブロックデータ容量Ｂとなる。
【００１２】
図４は、上記ジャンプ指令ＪＡ1〜ＪＡ5各々が示すジャンプ先アドレスを示す図である。図４に示されるが如く、データブロックＤ1の後尾に付加されるジャンプ指令ＪＡ1によるジャンプ先アドレスは、ＤＶＤ−ＲＯＭの第２記録層に対する記録開始位置を示すアドレスＡＤ２０である。つまり、ジャンプ指令ＪＡ1とは、再生動作時において、ピックアップをＤＶＤ−ＲＯＭの第１記録層から第２記録層のアドレスＡＤ２０へとジャンプさせる為の指令なのである。尚、かかるアドレスＡＤ２０は、ＤＶＤ−ＲＯＭ上におけるデータブロックＤ2の先頭位置を示すものである。又、かかるデータブロックＤ2の後尾に付加されるジャンプ指令ＪＡ2によるジャンプ先アドレスは、ＤＶＤ−ＲＯＭの第１記録層に対する記録開始位置を示すアドレスＡＤ１０に上記ブロックデータ容量Ｂを加算して得られたアドレスＡＤ１１である。つまり、ジャンプ指令ＪＡ2とは、再生装置による再生動作時において、ピックアップをＤＶＤ−ＲＯＭの第２記録層から第１記録層のアドレスＡＤ１１へとジャンプさせる為の指令なのである。尚、かかるアドレスＡＤ１１は、ＤＶＤ−ＲＯＭ上におけるデータブロックＤ3の先頭位置を示すものである。又、かかるデータブロックＤ3の後尾に付加されるジャンプ指令ＪＡ3によるジャンプ先アドレスは、上記アドレスＡＤ２０に上記ブロックデータ容量Ｂを加算して得られたアドレスＡＤ２１である。つまり、ジャンプ指令ＪＡ3とは、再生装置による再生動作時において、ピックアップをＤＶＤ−ＲＯＭの第１記録層から第２記録層のアドレスＡＤ２１へとジャンプさせる為の指令なのである。尚、かかるアドレスＡＤ２１は、ＤＶＤ−ＲＯＭ上におけるデータブロックＤ4の先頭位置を示すものである。又、かかるデータブロックＤ4の後尾に付加されるジャンプ指令ＪＡ4によるジャンプ先アドレスは、上記アドレスＡＤ１１に上記ブロックデータ容量Ｂを加算して得られたアドレスＡＤ１２である。つまり、ジャンプ指令ＪＡ4とは、再生装置による再生動作時において、ピックアップをＤＶＤ−ＲＯＭの第２記録層から第１記録層のアドレスＡＤ１２へとジャンプさせる為の指令なのである。尚、かかるアドレスＡＤ１２は、ＤＶＤ−ＲＯＭ上におけるデータブロックＤ5の先頭位置を示すものである。又、かかるデータブロックＤ5の後尾に付加されるジャンプ指令ＪＡ5によるジャンプ先アドレスは、上記アドレスＡＤ２１に上記ブロックデータ容量Ｂを加算して得られたアドレスＡＤ２２である。つまり、ジャンプ指令ＪＡ5とは、再生装置による再生動作時において、ピックアップをＤＶＤ−ＲＯＭの第１記録層から第２記録層のアドレスＡＤ２２へとジャンプさせる為の指令なのである。尚、かかるアドレスＡＤ２２は、ＤＶＤ−ＲＯＭ上におけるデータブロックＤ6の先頭位置を示すものである。
【００１３】
上述した如きフォーマットを有する第１記録層用情報データ及び第２記録層用情報データ各々が、第１層記録用データメモリ１１及び第２層記録用データメモリ１２に夫々書き込まれるのである。ここで、制御回路１７から記録開始指令が供給されると、データ分割回路１０は、第１層記録用データメモリ１１から図３（ｂ）に示されるが如き第１記録層用情報データを順次読み出し、これを記録データエンコーダ１３に供給する。
【００１４】
記録データエンコーダ１３は、かかるデータ分割回路１０から供給されてくる情報データを８／１６変調符号化して８／１６変調信号を生成する。次に、記録データエンコーダ１３は、かかる８／１６変調信号を２値のシリアル信号に変換しこれを記録信号として記録ヘッド１４に供給する。スライダ機構１５は、かかる記録ヘッド１４を制御回路１７から供給されてくる記録位置信号に応じたＤＶＤ−ＲＯＭ上の位置に移送せしめる。記録ヘッド１４は、上記記録データエンコーダ１３から供給されてくる記録信号に応じた光量の記録ビームを、スピンドルモータ１６によって回転駆動される記録原盤２０に照射することにより、上記記録信号の記録を行う。
【００１５】
かかる第１記録層用情報データに基づく上記記録信号の第１の記録原盤２０への記録が全て終了すると、この記録原盤２０を、第２記録層用情報データに基づく記録信号の記録を行うべき第２の記録原盤２１に取り換える。この後、データ分離回路１０は、第２層記録用データメモリ１２から図３（Ｃ）に示されるが如き第２記録層用情報データを順次読み出してこれを記録データエンコーダ１３に供給する。記録データエンコーダ１３は、供給された情報データに基づいた上述の如き記録信号を生成してこれを記録ヘッド１４に供給する。記録ヘッド１４は、供給されてくる記録信号に応じた光量の記録ビームを記録原盤２１に照射することにより、上記第２記録層用情報データに基づく記録信号の記録を行う。
【００１６】
このようにして記録信号の記録された第１の記録原盤２０並びに第２の記録原盤２１の夫々に対して、電鋳処理等を施すことによって第１の記録層用スタンパと第２の記録層用スタンパとを製造する。かかる第１の記録層用スタンパによって作成した第１の記録層用ディスクにはハーフミラー膜をスパッタすると共に、第２の記録層用スタンパによって作成した第２の記録層用ディスクには高反射膜ををスパッタし、両者を張り合わせる。これにより、２層の記録面を有するＤＶＤ−ＲＯＭが完成するのである。
【００１７】
尚、２層の記録面を有するＤＶＤ−ＲＯＭのより詳細な製造方法については、例えば、特開平８−９６４０６号に記載されている。図５は、図３（ｂ）及び図３（ｃ）に示されている第１及び第２記録層用情報データ各々を第１の記録原盤２０並びに第２の記録原盤２１に記録した際に、これら第１の記録原盤２０並びに第２の記録原盤２１から、上述した如き方法によって製造された２層の記録面を有するＤＶＤ−ＲＯＭにおける情報データの記録形態を示す図である。
【００１８】
図５に示されるように、図３（ｂ）に示されている第１記録層用情報データは、かかるＤＶＤ−ＲＯＭの第１記録層におけるアドレスＡＤ１０の位置から順次記録される。同様にして、図３（ｃ）に示されている第２記録層用情報データは、ＤＶＤ−ＲＯＭの第２記録層におけるアドレスＡＤ２０の位置から順次記録される。
【００１９】
ここで、かかる記録形態を有するＤＶＤ−ＲＯＭをＤＶＤプレーヤに掛けて再生動作を開始すると、ＤＶＤプレーヤのピックアップは、先ず、アドレスＡＤ１０の位置から情報読み取りを開始する。すなわち、ＤＶＤプレーヤはデータブロックＤ1の再生を為してその再生信号を出力するのである。データブロックＤ1の再生が終了すると、ＤＶＤプレーヤのピックアップは、ジャンプ指令ＪＡ1を読み取ることになる。この際、図４に示されるように、ジャンプ指令ＪＡ1はピックアップをアドレスＡＤ２０の位置にジャンプさせる指令である。従って、かかるジャンプ指令に応じてＤＶＤプレーヤのピックアップは、ＤＶＤ−ＲＯＭの第２記録層におけるアドレスＡＤ２０の位置にジャンプし、ここから再び通常の読み取り動作を開始する。すなわち、この際、ＤＶＤプレーヤは、データブロックＤ2の再生を為し、その再生信号を出力するのである。
【００２０】
データブロックＤ2の再生が終了すると、ＤＶＤプレーヤのピックアップはジャンプ指令ＪＡ2を読み取ることになる。この際、図４に示されるように、ジャンプ指令ＪＡ2はピックアップをアドレスＡＤ１１の位置にジャンプさせる指令である。従って、かかるジャンプ指令に応じてＤＶＤプレーヤのピックアップは、ＤＶＤ−ＲＯＭの第１記録層におけるアドレスＡＤ１１の位置にジャンプし、ここから再び通常の読み取り動作を開始する。すなわち、この際、ＤＶＤプレーヤは、データブロックＤ3の再生を為し、その再生信号を出力するのである。
【００２１】
尚、第２層記録開始アドレスＡＤ２０は、第１層記録開始アドレス１０よりもディスク外周に位置し、かつ、アドレスＡＤ１１よりもディスク内周に位置するアドレスとする。データブロックＤ3の再生が終了すると、ＤＶＤプレーヤのピックアップは、ジャンプ指令ＪＡ3を読み取ることになる。この際、図４に示されるように、ジャンプ指令ＪＡ3はピックアップをアドレスＡＤ２１の位置にジャンプさせる指令である。かかるジャンプ指令に応じてＤＶＤプレーヤのピックアップは、ＤＶＤ−ＲＯＭの第２記録層におけるアドレスＡＤ２１の位置にジャンプし、ここから再び通常の読み取り動作を開始する。すなわち、この際、ＤＶＤプレーヤは、データブロックＤ4の再生を為し、その再生信号を出力するのである。
【００２２】
データブロックＤ4の再生が終了すると、ＤＶＤプレーヤのピックアップは、ジャンプ指令ＪＡ4を読み取ることになる。この際、図４に示されるように、ジャンプ指令ＪＡ4はピックアップをアドレスＡＤ１２の位置にジャンプさせる指令である。かかるジャンプ指令に応じてＤＶＤプレーヤのピックアップは、ＤＶＤ−ＲＯＭの第１記録層におけるアドレスＡＤ１２の位置にジャンプし、ここから再び通常の読み取り動作を開始する。すなわち、この際、ＤＶＤプレーヤは、データブロックＤ5の再生を為し、その再生信号を出力するのである。
【００２３】
データブロックＤ5の再生が終了すると、ＤＶＤプレーヤのピックアップは、ジャンプ指令ＪＡ5を読み取ることになる。この際、図４に示されるように、ジャンプ指令ＪＡ5はピックアップをアドレスＡＤ２２の位置にジャンプさせる指令である。かかるジャンプ指令に応じてＤＶＤプレーヤのピックアップは、ＤＶＤ−ＲＯＭの第２記録層におけるアドレスＡＤ２２の位置にジャンプし、ここから再び通常の読み取り動作を開始する。すなわち、この際、ＤＶＤプレーヤは、データブロックＤ6の再生を為し、その再生信号を出力するのである。
【００２４】
尚、上記実施例は、ＤＶＤ−ＲＯＭの２層の記録面各々における記録トラックが図６（ａ）の斜線矢印に示されるが如く、共にディスク内周から外周へと向かういわゆるパラレルトラック方式に適応したものである。しかしながら、本発明においては、図６（ｂ）の斜線矢印に示されるように、２層の記録面各々における記録トラックが互いに異なる方向に向かって形成されるオポジットトラック方式にも適用可能である。
【００２５】
図７は、かかる点に鑑みて為されたデータ分離フロー例を示す図である。尚、かかるデータ分離フローは、図２に示されるものと同様に、データ分割回路１０の制御を司るＣＰＵによって実施されるものである。図７において、先ず、上記ＣＰＵは、初期ジャンプ先アドレスＡＤ２１をＣＰＵに内蔵されているレジスタＬ１に記憶する（ステップＳ５１）。次に、ＣＰＵは、記録原盤に記録すべく供給されてきた情報データを、所定容量分のデータブロック毎に読み込んでこれをレジスタＹに記憶する（ステップＳ５２）。次に、ＣＰＵは、この取り込んだデータブロック中に情報データの最終位置を示すＥＯＦが存在するか否かを判定する（ステップＳ５３）。かかるステップＳ５３において、ＥＯＦが存在しないと判定された場合、ＣＰＵは、上記レジスタＹに取り込んだデータブロックが奇数番目のブロックであるか否かの判定を行う（ステップＳ５４）。
【００２６】
かかるステップＳ５４において、奇数番目のブロックであると判定された場合、ＣＰＵは、奇数番目のブロックであることを示すフラグ"１"をフラグレジスタＦに記憶する（ステップＳ５５）。次に、ＣＰＵは、上記レジスタＬ１に記憶されているアドレス位置（第１記録層上におけるアドレス位置）へのジャンプ指令ＪＡを生成する（ステップＳ５６）。次に、ＣＰＵは、上記レジスタＹに取り込んだデータブロックを読み出し、このデータブロックの後尾に上記ジャンプ指令ＪＡを付加したものを第１層記録用データメモリ１１に記憶せしめる（ステップＳ５７）。次に、ＣＰＵは、上記レジスタＬ１に記憶されているアドレスに、このジャンプ指令ＪＡを含んだ１データブロックのブロックデータ容量Ｂを加算して得られた新たなアドレスを上記レジスタＬ１に上書き記憶する（ステップＳ５８）。かかるステップＳ５８の終了後、ＣＰＵは、上記ステップＳ５２の実行に戻る。
【００２７】
一方、上記ステップＳ５３において、レジスタＹに取り込んだデータブロックが奇数番目のブロックではないと判定された場合、ＣＰＵは、偶数番目のブロックであることを示すフラグ"０"を上記フラグレジスタＦに記憶する（ステップＳ５９）。次に、ＣＰＵは、上記レジスタＬ１に記憶されているアドレスを読み出し、そのアドレスの補数値にて示されるアドレス位置（第２記録層上におけるアドレス位置）へのジャンプ指令ＪＡを生成する（ステップＳ６０）。例えば、上記レジスタＬ１に記憶されているアドレスが"00FF"(HEX)である場合、かかるアドレスの補数値は"FF01"(HEX)であるので、この補数値にて示されるアドレス位置へジャンプすべきジャンプ指令ＪＡが生成されるのである。次に、ＣＰＵは、上記レジスタＹに取り込んだデータブロックを読み出し、このデータブロックの後尾に上記ジャンプ指令ＪＡを付加したものを第２層記録用データメモリ１２に記憶せしめる（ステップＳ６１）。かかるステップＳ６１の終了後、ＣＰＵは、上記ステップＳ５２の実行に戻る。
【００２８】
又、上記ステップＳ５３において、レジスタＹに記憶したデータブロック中に情報データの最終位置を示すＥＯＦが存在すると判定された場合、ＣＰＵは、次に、上記フラグレジスタＦの記憶内容がフラグ"1"であるか否かの判定を行う（ステップＳ６２）。かかるステップＳ６２において、フラグレジスタＦの記憶内容がフラグ"1"であると判定された場合、ＣＰＵは、情報データの最終位置を示すＥＯＦを上記第１層記録用データメモリ１１に記憶せしめる（ステップＳ６３）。一方、このステップＳ６２において、フラグレジスタＦの記憶内容がフラグ"１"ではないと判定された場合、ＣＰＵは、情報データの最終位置を示すＥＯＦを上記第２層記録用データメモリ１２に記憶せしめる（ステップＳ６３）。これらステップＳ６３又はＳ６４のいずれかが終了すると、ＣＰＵは、このデータ分離フローを抜けてメインルーチン（説明せず）の実行に戻る。
【００２９】
かかるデータ分離フローの実行により、上記第１層記録用データメモリ１１及び第２層記録用データメモリ１２各々には、図３（ｂ）及び図３（ｃ）に示される形態で第１記録層用情報データ及び第２記録層用情報データが記憶される。しかしながら、上述した如きオポジットトラック方式にて情報データの記録を行う場合、ジャンプ指令ＪＡ1〜ＪＡ5各々によるジャンプ先アドレスは、図８に示されるものとなる。
【００３０】
次に、上記第１記録層用情報データ及び第２記録層用情報データ各々を上記オポジットトラック方式にて第１及び第２記録原盤に記録する際の動作について説明する。かかる記録を実施するにあたり、先ず、データ分離回路１０は、第１層記録用データメモリ１１から図３（ｂ）に示されるが如き第１記録層用情報データを先頭のブロックから順に読み出し、これを記録データエンコーダ１３に供給して行く。かかる動作に応じて記録ヘッド１４は、図９に示されるが如く、上記第１記録層用情報データＤ1、ＪＡ1、Ｄ3、ＪＡ3、Ｄ5、ＪＡ5各々に対応した記録信号をＤＶＤ−ＲＯＭの第１記録層における所定のアドレスＡＤ１０の位置から順次ディスク外周方向へと記録して行く。
【００３１】
第１記録層への記録が終了すると、記録原盤２０を第２の記録原盤２１に取り換えて、その後、データ分離回路１０は、第２層記録用データメモリ１２から図３（ｂ）に示されるが如き第２記録層用情報データを最後尾のブロックから順に読み出し、これを記録データエンコーダ１３に供給して行く。かかる動作に応じて記録ヘッド１４は、図９に示されるが如く、上記第２記録層用情報データＤ6、EOF、Ｄ4、ＪＡ4、Ｄ2、ＪＡ2各々に対応した記録信号をＤＶＤ−ＲＯＭの第２記録層におけるアドレスＡＤ２０の位置から順次ディスク内周方向へと記録して行くのである。
【００３２】
ここで、上記図９に示されるが如き記録形態を有するＤＶＤ−ＲＯＭをＤＶＤプレーヤに掛けて再生動作を開始すると、ＤＶＤプレーヤのピックアップは、先ず、第１記録層におけるアドレスＡＤ１０の位置からその情報読み取りを開始する。すなわち、ＤＶＤプレーヤはデータブロックＤ1の再生を為してその再生信号を出力するのである。データブロックＤ1の再生が終了すると、ＤＶＤプレーヤのピックアップは、ジャンプ指令ＪＡ1を読み取ることになる。この際、図８に示されるように、ジャンプ指令ＪＡ1はピックアップをアドレスＡＤ２１の位置にジャンプさせる指令である。従って、かかるジャンプ指令に応じてＤＶＤプレーヤのピックアップは、ＤＶＤ−ＲＯＭの第２記録層におけるアドレスＡＤ２１の位置にジャンプし、ここからディスク内周方向へ向けて読み取り動作を開始する。すなわち、この際、ＤＶＤプレーヤは、データブロックＤ2の再生を為し、その再生信号を出力するのである。データブロックＤ2の再生が終了すると、ＤＶＤプレーヤのピックアップはジャンプ指令ＪＡ2を読み取ることになる。この際、図８に示されるように、ジャンプ指令ＪＡ2はピックアップをアドレスＡＤ１１の位置にジャンプさせる指令である。従って、かかるジャンプ指令に応じてＤＶＤプレーヤのピックアップは、ＤＶＤ−ＲＯＭの第１記録層におけるアドレスＡＤ１１の位置にジャンプし、ここからディスク外周方向へ向けて読み取り動作を開始する。すなわち、この際、ＤＶＤプレーヤは、データブロックＤ3の再生を為し、その再生信号を出力するのである。
【００３３】
その後、同様にしてＤＶＤプレーヤのピックアップは、ＤＶＤ−ＲＯＭから読み取られたジャンプ指令ＪＡに応じて第１記録層及び第２記録層間をジャンプしつつその読み取り方向の反転（ディスク内周方向／外周方向）を繰り返しながら、情報データＤ4〜Ｄ6を順次読み取って再生して行くのである。尚、上記図９に示される記録形態においては、情報データ中の奇数ブロックを第１記録層に記録し、偶数ブロックを第２記録層に記録する構成としているが、かかる記録形態に限定されるものではない。
【００３４】
例えば、図１０に示されるが如く、データブロックＤ2、及びジャンプ指令ＪＡ2のみを第２記録層に記録し、その他のデータブロックを第１記録装置に順次記録するようにしても良い。この際、データブロックＤ1の後尾には、データブロックＤ2の先頭位置へのジャンプ先を示すジャンプ指令ＪＡ1を付加するが、その他のデータブロックＤ3〜Ｄ5各々の後尾にはジャンプ指令を付加する必要はない。すなわち、図１０においては、情報データブロックの先頭部分（データブロックＤ1、Ｄ2）においてのみ第１記録層、第２記録層間でのジャンプ動作が実施されるのである。尚、図１１に示されるが如く、情報データ中の先頭データブロックＤ1のみを第２記録層に記録し、その他のデータブロックを連続に第１記録層に記録するようにすれば、ジャンプ指令は１つ（ジャンプ指令ＪＡ1）だけで良い。かかる図１１に示される記録形態によれば、情報データの読み取り開始位置は第２記録層のアドレスＡＤ２１となり、ジャンプ指令ＪＡ1によるジャンプ先アドレスは第１記録層のアドレスＡＤ１０になる。
【００３５】
又、上記実施例においては、記録層を２層だけ有する記録ディスクへの記録方法について説明したが、３層以上の記録層を有する多層ディスクに対しても同様に適用可能である。以上の如く、本発明による記録方法においては、映画ソフトの如き一連の情報データを複数の記録面を有する多層ディスクに記録するにあたり、上記情報データを所定データ容量毎の複数のデータブロックに分割し、これらデータブロックを各記録層に分散して記録する。更に、このデータブロック各々の内の少なくとも１つに、次の読み取り先を示すジャンプ指令を付加記録するのである。尚、かかるジャンプ指令は、他の記録層へのジャンプ先を指示するものとなる。
【００３６】
よって、かかる記録方法に基づいて情報記録が為されたＤＶＤ−ＲＯＭから記録情報の読み取りを行うと、そのピックアップから出力される読取信号（ＲＦ信号）中には上記の如きジャンプ指令が現れることになる。従って、上記読取信号を直接用いて記録面を１層しか備えていないＤＶＤ−Ｒ、又はＤＶＤ−ＲＡＭに対して違法なコピーを試みると、情報データの中に上記ジャンプ指令が断続的に混入することになる。この際、ＤＶＤ−ＲＡＭ（又はＤＶＤ−Ｒ）の如き単層ディスクには、その他の記録層というものが存在しないので、情報再生時に上記の如きジャンプ指令が再生されると正常な再生が為されなくなる。
【００３７】
つまり、本発明によれば、ピックアップから出力される読取信号（ＲＦ信号）を直接用いた、多層ディスク（ＤＶＤ−ＲＯＭ）から単層ディスク（ＤＶＤ−ＲＡＭ、ＤＶＤ−Ｒ）への違法コピーを防止することが出来るのである。尚、上記実施例においては、各ジャンプ指令の直後に次のデータブロックを記録するようにしているが、ジャンプ指令とデータブロックとの区切り目に、違和感の多いノイズ画像信号を挿入して記録する構成としても良い。この際、再生装置側では、ジャンプ動作実行の後にピックアップから出力された読取信号を所定期間（ノイズ画像信号の存在する期間）だけマスクしてから再生処理を施すようにする。よって、ピックアップから出力された読取信号を直接用いてＤＶＤ−ＲＡＭ（又はＤＶＤ−Ｒ）に対して違法なコピーを試みると、上記ノイズ画像信号もがコピーされることになり、より効果的なコピー防止となる。
【００３８】
又、上記実施例において、各データブロックの区切りをＭＰＥＧにおけるＧＯＰ単位の途中にすることにより、より効果的なコピー防止を実現出来る。
【図面の簡単な説明】
【００３９】
【図１】本発明による記録方法に基づいて記録ディスクに情報記録を為すマスタ記録装置の構成を示す図である。
【図２】データ分離動作を実施する為の動作フローの一例を示す図である。
【図３】情報データ、並びに分離された第１及び第２記録層用情報データの一例を示す図である。
【図４】ジャンプ指令ＪＡ1〜ＪＡ5によるジャンプ先アドレスを示す図である。
【図５】ＤＶＤ−ＲＯＭの記録形態の一例を示す図である。
【図６】パラレルトラック方式及びオポジットトラック方式各々における各記録層の記録方向を示す図である。
【図７】オポジットトラック方式にて記録ディスクに情報データの記録を行う場合に実施するデータ分離動作を示すフロー図である。
【図８】オポジットトラック方式にて記録ディスクに情報データの記録を行う場合に生成されるジャンプ指令ＪＡ1〜ＪＡ5各々のジャンプ先アドレスを示す図である。
【図９】オポジットトラック方式にて情報データが記録されたＤＶＤ−ＲＯＭの記録形態の一例を示す図である。
【図１０】オポジットトラック方式にて情報データが記録されたＤＶＤ−ＲＯＭの記録形態の他の例を示す図である。
【図１１】オポジットトラック方式にて情報データが記録されたＤＶＤ−ＲＯＭの記録形態の他の例を示す図である。
【符号の説明】
【００４０】
１０  データ分割回路
１１  第１層記録用データメモリ
１２  第２層記録用データメモリ
１４  記録ヘッド
【図１】
2007242226.tif 000003
【図２】
2007242226.tif 000004
【図３】
2007242226.tif 000005
【図４】
2007242226.tif 000006
【図５】
2007242226.tif 000007
【図６】
2007242226.tif 000008
【図７】
2007242226.tif 000009
【図８】
2007242226.tif 000010
【図９】
2007242226.tif 000011
【図１０】
2007242226.tif 000012
【図１１】
2007242226.tif 000013